(57)【特許請求の範囲】
【請求項１】
同時記録再生機能を持つ記録再生装置において、
記録媒体に所定量の情報からなるプログラムを記録する記録手段と、
上記記録媒体より上記プログラムを再生する再生手段と、
上記記録媒体の一部の記録領域に各プログラムの記録位置等を示すアロケーションテーブルが形成されてなり、上記記録媒体の所定の第１のプログラムが記録されている記録領域の一部または全部に対応して上記アロケーションテーブルに上書き禁止フラグを書き込むことによって上記記録手段による所定の第２のプログラムの記録が禁止される禁止領域に設定する禁止領域設定手段とを備え、
上記禁止領域設定手段は、
上記再生手段による上記第１のプログラムの再生が行われている期間中に、上記記録手段による上記第２のプログラムの記録を開始するとき、
または、上記記録手段による上記第２のプログラムの記録が行われている期間中に、上記再生手段による上記第１のプログラムの再生を開始するとき、
上記第１のプログラムが記録されている記録領域を禁止領域に設定する
ことを特徴とする記録再生装置。
【請求項２】
上記記録手段は、上記第２のプログラムを記録媒体に記録するとき、記録位置が上記禁止領域に達した場合、上記記録位置を禁止されていない記録領域へ移動する
ことを特徴とする請求項１に記載の記録再生装置。
【請求項３】
上記禁止領域設定手段は、上記第１のプログラムの再生を開始するとき、上記第１のプログラムが記録されている記録領域の全部を上記禁止領域に設定する
ことを特徴とする請求項１に記載の記録再生装置。
【請求項４】
上記禁止領域設定手段は、上記第１のプログラムの再生中であって、上記記録手段が記録を開始するとき、上記第１のプログラムのうち未再生の情報が記録されている記録領域を上記禁止領域に設定する
ことを特徴とする請求項１に記載の記録再生装置。
【請求項５】
上記禁止領域設定手段は、上記禁止領域に設定した記録領域の全てを再生した後に上記禁止領域の設定を一括して解除する
ことを特徴とする請求項１に記載の記録再生装置。
【請求項６】
上記禁止領域設定手段は、上記禁止領域に設定した記録領域のうち再生が終了した領域部分からその禁止領域の設定を順次解除する
ことを特徴とする請求項１の記載の記録再生装置。
【請求項７】
同時記録再生機能を持つ記録再生方法において、
記録媒体に所定量の情報からなるプログラムを記録する記録ステップと、
上記記録媒体より上記プログラムを再生する再生ステップと、
上記記録媒体の一部の記録領域に各プログラムの記録位置等を示すアロケーションテーブルが形成されてなり、上記記録媒体の所定の第１のプログラムが記録されている記録領域の一部または全部に対応して上記アロケーションテーブルに上書き禁止フラグを書き込むことによって上記記録ステップによる所定の第２のプログラムの記録が禁止される禁止領域に設定する禁止領域設定ステップとを備え、
上記禁止領域設定ステップでは、
上記再生ステップによる上記第１のプログラムの再生が行われている期間中に、上記記録ステップによる上記第２のプログラムの記録を開始するとき、
または、上記記録ステップによる上記第２のプログラムの記録が行われている期間中に、上記再生ステップによる上記第１のプログラムの再生を開始するとき、
上記第１のプログラムが記録されている記録領域を禁止領域に設定する
ことを特徴とする記録再生方法。
【発明の詳細な説明】
【０００１】
【発明の属する技術分野】
この発明は、同時記録再生機能を持つ記録再生装置および記録再生方法に関する。詳しくは、記録媒体より所定のプログラムを再生する際に、このプログラムが記録されている記録領域の一部または全部を記録禁止領域に設定することによって、再生プログラムが自動的に保護されるようにした記録再生装置等に係るものである。
【０００２】
【従来の技術】
従来、同時記録再生機能を持つ記録再生装置が提案されている。この種の記録再生装置においては、同一記録媒体上の領域を記録系と再生系が同時に扱っている。これは、記録された領域を再生したい場合等があるので不可避である。
【０００３】
【発明が解決しようとする課題】
そのため、記録領域として予約された領域に対して再生要求がなされた場合、あるいは記録領域が順次更新されていくことにより上書きされつつある領域に対して再生要求がなされた場合、再生すべきプログラムが上書きされることによって消去されて再生が不可能となるおそれがある。
【０００４】
なお、再生しているプログラムが記録されている領域に対し、ユーザが事前に上書き禁止処理を行うことも考えられるが、設定や解除の操作が煩雑になってしまうという不都合がある。
【０００５】
そこで、この発明では、再生プログラムが自動的に保護されるようにした記録再生装置および再生方法を提供することを目的とする。
【０００６】
【課題を解決するための手段】
この発明に係る記録再生装置は、同時記録再生機能を持つ記録再生装置において、記録媒体に所定量の情報からなるプログラムを記録する記録手段と、上記記録媒体より上記プログラムを再生する再生手段と、上記記録媒体の一部の記録領域に各プログラムの記録位置等を示すアロケーションテーブルが形成されてなり、上記記録媒体の所定の第１のプログラムが記録されている記録領域の一部または全部に対応して上記アロケーションテーブルに上書き禁止フラグを書き込むことによって上記記録手段による所定の第２のプログラムの記録が禁止される禁止領域に設定する禁止領域設定手段とを備え、上記禁止領域設定手段は、上記再生手段による上記第１のプログラムの再生が行われている期間中に、上記記録手段による上記第２のプログラムの記録を開始するとき、または、上記記録手段による上記第２のプログラムの記録が行われている期間中に、上記再生手段による上記第１のプログラムの再生を開始するとき、上記第１のプログラムが記録されている記録領域を禁止領域に設定することを特徴とするものである。
また、この発明に係る記録再生方法は、同時記録再生機能を持つ記録再生方法において、記録媒体に所定量の情報からなるプログラムを記録する記録ステップと、上記記録媒体より上記プログラムを再生する再生ステップと、上記記録媒体の一部の記録領域に各プログラムの記録位置等を示すアロケーションテーブルが形成されてなり、上記記録媒体の所定の第１のプログラムが記録されている記録領域の一部または全部に対応して上記アロケーションテーブルに上書き禁止フラグを書き込むことによって上記記録ステップによる所定の第２のプログラムの記録が禁止される禁止領域に設定する禁止領域設定ステップとを備え、上記禁止領域設定ステップでは、上記再生ステップによる上記第１のプログラムの再生が行われている期間中に、上記記録ステップによる上記第２のプログラムの記録を開始するとき、または、上記記録ステップによる上記第２のプログラムの記録が行われている期間中に、上記再生ステップによる上記第１のプログラムの再生を開始するとき、上記第１のプログラムが記録されている記録領域を禁止領域に設定することを特徴とするものである。
【０００７】
この発明においては、記録媒体より所定のプログラム（第１のプログラム）を再生する際に、そのプログラム（第１のプログラム）が記録されている記録領域の一部または全部の記録が禁止される禁止領域に設定される。例えば、所定のプログラム（第１のプログラム）の再生を開始するとき、そのプログラム（第１のプログラム）が記録されている記録領域の全部が禁止領域に設定される。また例えば、所定のプログラム（第１のプログラム）の再生中であって、記録手段が（第２のプログラムの）記録を開始するとき、そのプログラム（第１のプログラム）のうち未再生部分が記録されている記録領域が禁止領域に設定される。このように所定のプログラム（第１のプログラム）が記録されている記録領域に関して禁止領域が設定されることで、再生プログラムが自動的に保護される。
【０００８】
例えば、禁止領域の設定の解除は、禁止領域に設定した記録領域の全てが再生された後に一括して行われる。あるいは、この禁止領域の解除は、禁止領域に設定した記録領域のうち再生が終了した領域部分から順次行われる。また例えば、記録媒体の一部の記録領域に各プログラムの記録位置等を示すアロケーションテーブルが形成され、このテーブルに上書き禁止フラグを書き込むことによって禁止領域の設定が行われる。
【０００９】
【発明の実施の形態】
以下、図面を参照しながら、この発明の実施の形態について説明する。図１は、実施の形態としての記録再生装置１００の構成を示している。この記録再生装置１００は、同時記録再生機能を持つものである。
【００１０】
この記録再生装置１００は、ビデオ信号Ｖinを入力するための入力端子１０１と、このビデオ信号Ｖinに対してＡＧＣ（Automatic Gain Control）等の信号処理をするビデオ入力処理部１０２と、この処理部１０２より出力されるビデオ信号をアナログ信号からディジタル信号に変換するＡ／Ｄ（analog-to-digital）コンバータ１０３とを有している。
【００１１】
また記録再生装置１００は、Ａ／Ｄコンバータ１０３より出力されるビデオデータまたは後述するビデオ切換／合成部１２４より出力されるビデオデータを選択的に取り出すためのスイッチ回路１０４と、このスイッチ回路１０４で取り出されるビデオデータに対してＭＰＥＧ２（Moving Picture Experts Group 2）等に準拠したデータ圧縮処理をするビデオ圧縮処理部１０５と、この処理部１０５より出力される圧縮ビデオデータを一時的に蓄えるビデオ系バッファ１０６とを有している。
【００１２】
また、記録再生装置１００は、オーディオ信号Ａinを入力するための入力端子１０７と、このオーディオ信号Ａinに対してＡＧＣ等の信号処理をするオーディオ入力処理部１０８と、この処理部１０８より出力されるオーディオ信号をアナログ信号からディジタル信号に変換するＡ／Ｄコンバータ１０９とを有している。
【００１３】
また、記録再生装置１００は、Ａ／Ｄコンバータ１０９より出力されるオーディオデータに対してＭＰＥＧオーディオ、ＡＣ３等に準拠したデータ圧縮処理をするオーディオ圧縮処理部１１０と、この処理部１１０より出力される圧縮オーディオデータを一時的に蓄えるオーディオ系バッファ１１１とを有している。
【００１４】
また、記録再生装置１００は、バッファ１０６より読み出される圧縮ビデオデータと、バッファ１１１より読み出される圧縮オーディオデータに対し、データの並び替えやエラー訂正符号の付加、さらにはＥＦＭ（Eight to fourteen Modulation）等の変調処理を行って記録信号ＳＲを得る記録データ処理部１１３と、この記録信号ＳＲを磁気ディスクや光ディスク等の記録媒体（図示せず）に記録すると共に、その記録媒体より再生信号ＳＰを再生する記録／再生部１１４とを有している。ここで、バッファ１０６，１１１および記録データ処理部１１３はデータバス１１２に接続されている。
【００１５】
また、記録再生装置１００は、記録／再生部１１４からの再生信号ＳＰに対して、復調処理やエラー訂正処理、さらにはデータの並び替えを行って再生データを得る再生データ処理部１２１と、再生データ処理部１２１より出力される再生データを一時的に蓄えるビデオ系バッファ１２２ａ，１２２ｂおよびオーディオ系バッファ１２２ｃ，１２２ｄとを有している。再生データ処理部１２１およびバッファ１２２ａ〜１２２ｄはデータバス１１２に接続されている。
【００１６】
この場合、再生データ処理部１２１ではヘッダの解析が行われ、再生データのうち圧縮ビデオデータはビデオ系バッファ１２２ａ，１２２ｂに供給され、圧縮オーディオデータはオーディオ系バッファ１２２ｃ，１２２ｄに供給される。例えば、同時２チャネル再生の場合は、第１、第２のチャネルに係る圧縮ビデオデータはそれぞれビデオ系バッファ１２２ａ，１２２ｂに供給され、第１、第２のチャネルに係る圧縮オーディオデータはそれぞれオーディオ系バッファ１２２ｃ，１２２ｄに供給される。
【００１７】
また、記録再生装置１００は、バッファ１２２ａ，１２２ｂより読み出される圧縮ビデオデータに対してデータ伸長処理をするビデオ伸長処理部１２３ａ，１２３ｂと、この処理部１２３ａ，１２３ｂよりそれぞれ出力されるビデオデータの切り換えや合成を行うビデオ切換／合成部１２４と、このビデオ切換／合成部１２４より出力されるビデオデータをディジタル信号からアナログ信号に変換するＤ／Ａ（digital-to-analog）コンバータ１２５と、このＤ／Ａコンバータ１２５より出力されるビデオ信号に対してクロマエンコード等の処理をしてビデオ信号ＶOUTを得るビデオ出力処理部１２６と、このビデオ信号ＶOUTを出力する出力端子１２７とを有している。
【００１８】
また、記録再生装置１００は、バッファ１２２ｃ，１２２ｄより読み出される圧縮オーディオデータに対してデータ伸長処理をするオーディオ伸長処理部１２８ａ，１２８ｂと、この処理部１２８ａ，１２８ｂよりそれぞれ出力されるオーディオデータの切り換えや合成を行うオーディオ切換／合成部１２９と、このオーディオ切換／合成部１２９より出力されるオーディオデータをディジタル信号からアナログ信号に変換するＤ／Ａコンバータ１３０と、このＤ／Ａコンバータ１３０より出力されるオーディオ信号に対して周波数特性補正等の処理をしてオーディオ信号ＡOUTを得るオーディオ出力処理部１３１と、このオーディオ信号ＡOUTを出力する出力端子１３２とを有している。
【００１９】
また、記録再生装置１００は、マイクロコンピュータを備えてなり、装置全体（各処理系／制御系）の動作を制御するコントローラ１３３を有している。このコントローラ１３３には、ユーザの種々の操作を受け付けるためのキー入力部１３４や、装置の動作状態等を示す表示部１３５が接続されている。
【００２０】
図１に示す記録再生装置１００の動作を説明する。まず、記録系の動作について説明する。入力端子１０１に供給されるビデオ信号Ｖinはビデオ入力処理部１０２でＡＧＣ等の処理がされた後にＡ／Ｄコンバータ１０３に供給されてアナログ信号からディジタル信号に変換される。
【００２１】
ユーザのキー入力部１３４からの設定に従って、コントローラ１３３によりスイッチ回路１０４の切り換えが制御され、スイッチ回路１０４ではＡ／Ｄコンバータ１０３より出力されるビデオデータ、またはビデオ切換／合成部１２４より出力されるビデオデータが選択的に取り出される。
【００２２】
スイッチ回路１０４で取り出されたビデオデータはビデオ圧縮処理部１０５に供給され、ＭＰＥＧ２等に準拠したデータ圧縮処理が行われる。データ圧縮処理部１０５より出力される圧縮ビデオデータはビデオ系バッファ１０６に供給されて書き込まれる。
【００２３】
また、入力端子１０７に供給されるオーディオ信号Ａinはオーディオ入力処理部１０８でＡＧＣ等の処理がされた後にＡ／Ｄコンバータ１０９に供給されてアナログ信号からディジタル信号に変換される。このＡ／Ｄコンバータ１０９より出力されるオーディオデータはオーディオ圧縮処理部１１０に供給され、ＭＰＥＧオーディオ等に準拠したデータ圧縮処理が行われる。データ圧縮処理部１１０より出力される圧縮オーディオデータはオーディオ系バッファ１１１に供給されて書き込まれる。
【００２４】
また、バッファ１０６，１１１より読み出される圧縮ビデオデータ、圧縮オーディオデータはデータバス１１２を介して記録データ処理部１１３に供給される。この記録データ処理部１１３では、圧縮ビデオデータや圧縮オーディオデータに対してデータの並び替えやエラー訂正符号の付加、さらには変調処理等が行われて記録信号ＳＲが得られる。この記録信号ＳＲが、所定のプログラムの記録信号として記録／再生部１１４に供給され、記録媒体の所定の記録領域に書き込まれる。上述せずも、コントローラ１３３は、記録／再生部１１４の記録媒体に記録されるプログラムに関する記録位置等の情報を備えている。そして、ユーザのキー入力部１３４の操作により、その情報を表示部１３５に表示させることができる。ユーザはその表示を参照し、キー入力部１３４の操作により、記録信号ＳＲが記録される記録媒体の記録領域を指定できる。
【００２５】
次に、再生系の動作について説明する。記録／再生部１１４において、記録媒体の所定の記録領域より出力される所定のプログラムの再生信号ＳＰは再生データ処理部１２１に供給される。再生データ処理部１２１では、再生信号ＳＰに対して復調処理やエラー訂正処理、さらにはデータの並び替え等が行われて圧縮ビデオデータや圧縮オーディオデータが得られる。
【００２６】
ここで、ユーザは、上述した表示部１３５の表示を参照し、キー入力部１３４の操作によって所望のプログラムを再生プログラムとして指定できる。コントローラ１３３は、このプログラムの指定に対応して記録／再生部１１４の動作を制御し、記録／再生部１１４でその指定されたプログラムが再生されるようにする。
【００２７】
再生データ処理部１２１で得られる圧縮ビデオデータはデータバス１１２を介してビデオ系バッファ１２２ａ，１２２ｂに供給されて書き込まれる。同時２チャネル再生の場合、チャネル１の圧縮ビデオデータはバッファ１２２ａに書き込まれ、チャネル２の圧縮ビデオデータはバッファ１２２ｂに書き込まれる。一方、再生データ処理部１２１で得られる圧縮オーディオデータはデータバス１１２を介してオーディオ系バッファ１２２ｃ，１２２ｄに供給されて書き込まれる。同時２チャネル再生の場合、チャネル１の圧縮オーディオデータはバッファ１２２ｃに書き込まれ、チャネル２の圧縮オーディオデータはバッファ１２２ｄに書き込まれる。
【００２８】
バッファ１２２ａ，１２２ｂより読み出される圧縮ビデオデータは、ビデオ伸長処理部１２３ａ，１２３ｂに供給され、データ伸長の処理がされる。そして、処理部１２３ａ，１２３ｂより出力されるビデオデータはビデオ切換／合成部１２４に供給される。ビデオ切換／合成部１２４ではビデオデータの切り換えや合成の処理が行われるが、その動作は、ユーザのキー入力部１３４の操作に基づき、コントローラ１３３によって制御される。
【００２９】
ビデオ切換／合成部１２４より出力されるビデオデータはＤ／Ａコンバータ１２５に供給されてディジタル信号からアナログ信号に変換される。このＤ／Ａコンバータ１２５より出力されるビデオ信号はビデオ出力処理部１２６に供給されてクロマエンコード等の処理が施される。そして、このビデオ出力処理部１２６より出力されるビデオ信号Ｖoutが出力端子１２７に導出される。
【００３０】
また、バッファ１２２ｃ，１２２ｄより読み出される圧縮オーディオデータは、処理部１２８ａ，１２８ｂに供給され、データ伸長の処理がされる。そして、オーディオ伸長処理部１２８ａ，１２８ｂより出力されるオーディオデータはオーディオ切換／合成部１２９に供給される。オーディオ切換／合成部１２９ではオーディオデータの切り換えや合成の処理が行われるが、その動作は、ユーザのキー入力部１３４の操作に基づき、コントローラ１３３によって制御される。
【００３１】
オーディオ切換／合成部１２９より出力されるオーディオデータはＤ／Ａコンバータ１３０に供給されてディジタル信号からアナログ信号に変換される。このＤ／Ａコンバータ１３０より出力されるビデオ信号はオーディオ出力処理部１３１に供給されて周波数特性補正等の処理が施される。そして、このオーディオ出力処理部１３１より出力されるオーディオ信号Ａoutが出力端子１３２に導出される。
【００３２】
図１の記録再生装置１００は、上述したように同時記録再生機能を持つものであり、上述の記録系の動作と再生系の動作とが並行して行われることがあるが、その場合には再生プログラムの保護が行われる。再生プログラムの保護動作を、図２を使用して説明する。
【００３３】
例えば、記録媒体には、図２Ａに示すような配置で、各プログラムが記録されているものとし、ユーザのキー入力部１３４の操作により、プログラム２の先頭位置から記録開始が予定されているものとする。ユーザは記録の予約をしておいて再生をすることができる。
【００３４】
ユーザのキー入力部１３４の操作でプログラム３の再生要求が出されると、記録／再生部１１４ではプログラム３（再生プログラム：図２Ｂに斜線で図示）の再生が開始される。このとき、コントローラ１３３は、プログラム３に対して保護フラグを設定して上書き記録を禁止する。つまり、上述せずも、記録／再生部１１４の記録媒体の一部の記録領域には各プログラムの記録位置等を示すアロケーションテーブルが形成されている。コントローラ１３３は、プログラム３に対応してアロケーションテーブルに保護フラグとしての上書き禁止フラグを書き込むように制御する。
【００３５】
プログラム３の再生状態で、予約された記録が有効となると、図２Ｃに示すように新たなプログラム５がプログラム２の記録領域を上書きしながら、記録媒体に記録されていく。図２Ｄに示すように、記録位置がプログラム３の先頭位置に達した場合、上述したようにプログラム３は保護されて上書きが禁止されているので連続して記録できない。そこで、図２Ｅに示すように、プログラム４の先頭位置に記録位置が移動し、記録が続けられる。図２Ｆは、プログラム５の記録が終了した時点での記録状態を示している。
【００３６】
上述したように、プログラム５は、プログラム３の記録領域に上書きされることなく、他の記録領域に記録される。つまり、プログラム３（再生プログラム）の保護が図られる。なお、プログラム３に対する保護フラグの解除は、例えばプログラム３の再生が終了した後に行われる。
【００３７】
本実施の形態においては、再生プログラムに対して保護フラグが設定されて上書きが禁止されるため、再生プログラムの記録領域に他のプログラムが上書きされることがなく、再生プログラムが保護される。したがって、他のプログラムの上書きによって、再生プログラムの再生が不可能となる等の不都合を防止できる。
【００３８】
なお、上述実施の形態において、再生プログラムの保護の解除は、再生プログラムの全てが再生された後に行われる旨説明したが、再生が終了した領域部分からその保護の設定を順次解除することも考えられる。その場合における再生プログラムの保護動作を、図３を使用して説明する。
【００３９】
例えば、記録媒体には、図３Ａに示すような配置で、各プログラムが記録されているものとし、ユーザのキー入力部１３４の操作により、プログラム２の先頭位置から記録開始が予定されているものとする。ユーザは記録の予約をしておいて再生をすることができる。
【００４０】
ユーザのキー入力部１３４の操作でプログラム３の再生要求が出されると、記録／再生部１１４ではプログラム３（再生プログラム：図３Ｂに斜線で図示）の再生が開始される。コントローラ１３３は、プログラム３の再生位置から終了位置までの領域に対して保護フラグを設定して上書き記録を禁止する。このように再生位置から終了位置までの領域に対して保護フラグを設定することで、再生位置が変わる毎に保護される領域が随時更新されることとなる。この場合、再生が終了した領域部分から保護が解除される。
このようにプログラム３の再生状態で、予約された記録が有効となると、図３Ｃに示すように新たなプログラム５がプログラム２の記録領域を上書きしながら、記録媒体に記録されていく。図３Ｄに示すように、記録位置がプログラム３の再生位置に達した場合、上述したように再生位置から終了位置までの領域に対して保護フラグが設定されて上書きが禁止されているので、図３Ｅに示すように、プログラム４の先頭位置に移動し、記録が続けられる。図３Ｆは、プログラム５の記録が終了した時点での記録状態を示している。
【００４１】
図４のフローチャートは、上述した保護の設定および解除のアルゴリズムを示している。コントローラ１３３では、図４のフローチャートの動作が繰り返し行われる。ステップＳＴ１で、再生が行われているか否かを判定する。そして、再生が行われている場合には、ステップＳＴ２で、再生位置からプログラム終了位置までの領域に保護フラグを設定し、再生が終了した領域の保護を解除する。
【００４２】
また、図５のフローチャートは、記録位置の制御のアルゴリズムを示している。コントローラ１３３では、図５のフローチャートの動作が繰り返し行われる。ステップＳＴ１１で、記録が行われているか否かを判定する。そして、記録が行われている場合には、ステップＳＴ１２で、記録位置が保護フラグが設定されている保護領域であるか否かを判定する。保護領域であるときは、ステップＳＴ１３で、記録位置を保護されていない領域の先頭に移動する。
【００４３】
以上説明したように再生が終了した領域部分からその保護を順次解除するものによれば、プログラム３（再生プログラム）の未再生領域にプログラム５が上書きされることがなく、その未再生領域の保護が図られる。したがって、再生プログラムの再生が不可能となる等の不都合を防止できる。
【００４４】
また、上述の実施の形態においては、再生しているプログラムを保護しているが、記録が開始されている時点で再生中だったプログラムを保護する、記録が開始されている時点である一定時間以上再生されているプログラムを保護する、上書き記録されている状態である領域に記録されているプログラムの再生を始めたらそのプログラムを保護する、さらには、上書き記録されている状態である領域に記録されているプログラムを一定時間再生したらそのプログラムを保護する、など種々の保護の方法が考えられる。
【００４５】
また、上述実施の形態においては、再生プログラムが終了した時点で保護を解除する、あるいは再生が終了した領域部分から保護を解除しているが、再生プログラムが一時停止等の動作になっている場合でも保護解除を行わずに再生プログラムが終了あるいはユーザによる停止要求が出されてはじめて保護解除を行うなど種々の解除の方法が考えられる。
【００４６】
これらの保護の設定および解除の方法は、記録要求と再生要求が出される時間的順序に依存しない方法もあるし、記録要求が出された時点で判断するという方法も考えられる。つまり、この発明は、記録要求および再生要求の順序に制限されない。
【００４７】
【発明の効果】
この発明によれば、記録媒体より所定のプログラムを再生する際に、このプログラムが記録されている記録領域の一部または全部を記録禁止領域に設定するものである。したがって、そのプログラムの記録領域に他のプログラムが上書きされることがなく、そのプログラムの再生が不可能となることが防止される。また、プログラムの保護およびその解除が自動的に行われるものであり、ユーザが意識することなく、そのプログラムの再生が保証されるという効果がある。
【図面の簡単な説明】
【図１】実施の形態としての記録再生装置の構成を示すブロック図である。
【図２】再生プログラムの保護動作を説明するための図である。
【図３】再生プログラムの保護動作の他の例を説明するための図である。
【図４】保護の設定および解除のアルゴリズムを示すフローチャートである。
【図５】記録位置の制御のアルゴリズムを示すフローチャートである。
【符号の説明】
１００・・・記録再生装置、１０１，１０７・・・入力端子、１０２・・・ビデオ入力処理部、１０４・・・スイッチ回路、１０５・・・ビデオ圧縮処理部、１０６，１２２ａ，１２２ｂ・・・ビデオ系バッファ、１０８・・・オーディオ入力処理部、１１０・・・オーディオ圧縮処理部、１１１，１２２ｃ，１２２ｄ・・・オーディオ系バッファ、１１２・・・データバス、１１３・・・記録データ処理部、１１４・・・記録／再生部、１２１・・・再生データ処理部、１２３ａ，１２３ｂ・・・ビデオ伸長処理部、１２４・・・ビデオ切換／合成部、１２６・・・ビデオ出力処理部、１２７，１３２・・・出力端子、１２８ａ，１２８ｂ・・・オーディオ伸長処理部、１２９・・・オーディオ切換／合成部、１３１・・・オーディオ出力処理部、１３２・・・出力端子、１３３・・・コントローラ、１３４・・・キー入力部、１３５・・・表示部
【図１】
0003931434.tif 000002
【図２】
0003931434.tif 000003
【図３】
0003931434.tif 000004
【図４】
0003931434.tif 000005
【図５】
0003931434.tif 000006